(57)【要約】【目的】遠隔地での進捗状況を確認し、作業時間の短縮や人件費の削減を実現する。【解決手段】進渉状況が変化する監視対象物の必要な箇所に撮像装置を設置し、それらの画像情報を通信回線を経由して取得し、その画像情報を監視作業室に設けた投写型の表示装置上で表示する。通信回線は、インターネットであり、監視対象物は、建築現場または工事現場、医療施設、教育施設であり、表示装置に撮像装置で撮影した画像を表示すると共に、表示装置上に当写された画像上で作業を行う。【選択図】図１
2004336675.tif 000002
【特許請求の範囲】
【請求項１】
進渉状況が変化する監視対象物の必要な箇所に撮像装置を設置し、それらの画像情報を通信回線を経由して取得し、その画像情報を監視作業室に設けた投写型の表示装置上で表示することを特徴とする撮像装置を用いた遠隔地の進捗状況管理システム。
【請求項２】
前記通信回線がインターネットであることを特徴とする請求項１記載の撮像装置を用いた遠隔地の進捗状況管理システム。
【請求項３】
前記監視対象物が建築現場または工事現場であることを特徴とする請求項１記載の撮像装置を用いた遠隔地の進捗状況管理システム。
【請求項４】
前記監視対象物が医療施設であることを特徴とする請求項１記載の撮像装置を用いた遠隔地の進捗状況管理システム。
【請求項５】
前記監視対象物が教育施設であることを特徴とする請求項１記載の撮像装置を用いた遠隔地の進捗状況管理システム。
【請求項６】
進渉状況が変化する監視対象物の必要な箇所に設置した撮像装置と、該撮像装置からの画像情報を通信回線を経由して取得すると共にその画像情報を表示する表示装置を設けた監視作業室から成る遠隔地の進捗状況管理システムにおいて、前記表示装置に撮像装置で撮影した画像を表示すると共に、表示装置上に当写された画像上で作業を行うことを特徴とする遠隔地の進捗状況管理方法。
【請求項７】
前記表示装置には他の任意の撮像装置で撮影された画像を通信回線又はオフラインで表示することで、複数の画像情報により作業を行うことを特徴とする請求項６記載の遠隔地の進捗状況管理方法。
【請求項８】
前記複数の画像情報が一つの表示装置上に分割されて表示されることを特徴とする請求項７記載の遠隔地の進捗状況管理方法。
【発明の詳細な説明】
【０００１】
【発明の属する技術分野】本発明は、遠隔地の進捗状況管理システムとその方法に関するものである。
【０００２】
【従来の技術】
従来より、建設現場、土木工事現場、病院内、学校施設内の状況は、監視員等の人手により把握されており、２４時間の切れ目ない監視には多大の人手と工数を要していた。また情報は、現地でのみ把握され、遠隔地にある本社事務所、設計事務所等には、人手を介して映像情報が伝達されていた。
【０００３】
その結果、遠隔地での工事進捗を確認するために、本社から担当者が出張で出向くか、現地から、写真等の画像情報を郵送や電送してもらう必要があり、煩雑でかつ時間を要していた。
【０００４】
一方、画像情報を集中管理するシステムでは、多くの画面を同時に表示するため多数のＣＲＴを設置する必要があり、一度に視認するには、観察者が移動する必要があり、また、１枚の画面に表示する場合は、分割された個々の画面が小さく細部を確認できなかったり、画面上での書き込み作業等が困難である。また、多くのＣＲＴを並べたシステムは高価で嵩張り、かつ大電力を消費しるものであった。
【０００６】
【課題を解決するための手段】
本発明は、上記の課題を解消するために、撮像装置を用いた遠隔地の進捗状況管理システムとして、進渉状況が変化する監視対象物の必要な箇所に撮像装置を設置し、それらの画像情報を通信回線を経由して取得し、その画像情報を監視作業室に設けた投写型の表示装置上で表示することを特徴としている。
【０００７】
前記通信回線は、無線、公衆回線等であり、好ましくはＴＣＰ／ＩＰ通信プロトコルを用いたインターネットである。
【０００８】
また、監視対象物は、建築現場または工事現場、病院等の医療施設、学校、塾等の教育施設である。
【０００９】
また、本発明に関わる進捗状況の管理方法は、進渉状況が変化する監視対象物の必要な箇所に設置した撮像装置と、該撮像装置からの画像情報を通信回線を経由して取得すると共にその画像情報を表示する表示装置を設けた監視作業室から成る遠隔地の進捗状況管理システムにおいて、前記表示装置に撮像装置で撮影した画像を表示すると共に、表示装置上に当写された画像上で作業を行うことを特徴としている。
【００１０】
そして、前記表示装置には他の任意の撮像装置で撮影された画像を通信回線又はオフラインで表示することで、複数の画像情報により作業を行うことが可能である。
【００１１】
【発明の実施の形態】
以下、本発明を実施例に基づき説明する。図１は、本発明の進捗状況の管理方法を示す概要図であり、図２は、本発明に関わる画像情報の表示状態を示す説明図である。
【００１２】
図１に図示の如く、進渉状況が変化する監視対象物の必要な箇所には、ＣＣＤカメラ等の撮像装置１が設置されている。この撮像装置１は、監視範囲が固定されているものや、監視範囲の可変制御が可能な撮像装置１の複数から構成される。
【００１３】
そして、前記撮像装置１から得られた画像情報は、電話回線等の主にインターネットによる通信回線を経由して静止画像または動画画像として取得され、その画像情報を監視作業室に設けた投写型の表示装置３上で表示するものである。
【００１４】
本発明に関わる監視対象物は、建築現場、工事現場等の進渉状況が変化するものや、患者などの監視が必要な病院等の医療施設、監視が必要な学校などの教育施設である。また、具体的な監視対象としては、建物などの構造物だけでなく、通行する人物等も対象となる。
【００１５】
また、図２に図示の如く、本発明に係わる表示装置３は、板ガラスの表面を粗面化させて文字などの書き込みと消去を可能とした特殊なスクリーンであり、この表示装置３に撮像装置１で撮影した画像を、投写装置２を介して表示すると共に、表示装置３上に当写された画像上で、例えば、建物の状態のチェックしたり、タッチパネル装置により画面上での作業を行うものである。
【００１６】
また、前記表示装置３には、例えば、カメラマン等が定期的に巡回することで撮像装置１とは別の撮像装置１１で撮影された画像を通信回線又はオフラインで表示することで、複数の画像情報により作業を行うことが可能である。
【００１７】
そして、例えば、前記撮像装置が固定設置された撮像装置とを用い、複数の撮像装置からの画像を同時に出力可能にすると同時に、画像を情報処理することにより直前の画面からの変化を確認できるようにする。また、条件を設定することにより、画面情報に変化が生じた場合、警備保障システムを作動させたり、一定時間毎に画像を印刷したり、他のシステムに転送するようにしても良い。また、更に、映像に変化が生じた場合だけでなく、他のセンサーシステムに信号が発生した場合に監視対象を変更して表示させること等も考慮される。
【００１８】
尚、図３に図示の如く、複数の画像を画面を分割して表示させることで、複数の監視対象を取り扱ったり、一つの監視対象に対して様々な角度、方向から監視して監視効率や、安全性を高めることも可能である。
【００１９】
【発明の効果】
本発明は、上記の如く構成されたことで、各現場からの画像または映像情報がリアルタイムで電送されるため、管理者が直接、現地に赴く必要がなくなり、大幅な合理化となる。またリアルタイム情報であるため、本社機構での状況判断が迅速となり、関係先への情報転送も容易かつ迅速になる。また、構内、施設内の警備が容易になり、大幅な人員削減が可能となる。その結果、コスト低減だけでなく、警備員がいることに起因する精神的圧迫がなくなり、学校の児童生徒、入院患者のストレスを減じることになる。また、監視室は、中央の画像表示装置に、大型スクリーンをガラス製大画面とすることで、プラズマ方式のＴＶ受像機や、液晶方式のＴＶ受像機より大きな画面が可能となり、分割表示でもなお鮮明で大きな画面が確保できる。またタッチバネル方式の画面上での操作を可能にすれば本システムの操作が容易となり、複数の操作者が同時に、簡便にシステムを操作できる等の効果を有するものである。
【図面の簡単な説明】
【図１】本発明の進捗状況の管理方法を示す概要図である。
【図２】本発明に関わる画像情報の表示状態を示す説明図である。
【図３】本発明に関わる画像情報の他の表示状態を示す説明図である。
【符号の説明】
１  撮像装置
１１  撮像装置
２  投写装置
３  表示装置
【図１】
2004336675.tif 000003
【図２】
2004336675.tif 000004
【図３】
2004336675.tif 000005